(57)【要約】【課題】  公衆回線を誤って切断することなく通信することが可能なファクシミリ通信装置又はファクシミリ通信方法を提供する。【解決手段】発信側の公衆回線の極性の反転を検出する極性反転検出手段と、着信側から出力されるＣＥＤ信号を検出するＣＥＤ信号検出手段とを設け、前記ＣＥＤ信号検出手段が、発呼時に相手からの前記ＣＥＤ信号を検出した直後であって、前記極性反転検出手段が、前記ＣＥＤ信号検出時から予め定められた時間Ｔが経過した後に、前記公衆回線の極性が反転したかどうかについて極性反転の検出を行い、前記極性反転を検出した場合には、前記公衆回線を切断する。【選択図】  図１
2005150995.tif 000002
【特許請求の範囲】
【請求項１】
発信側の公衆回線の極性の反転を検出する極性反転検出手段と、
着信側から出力される被呼側識別信号（ＣＥＤ信号）を検出するＣＥＤ信号検出手段とを具備し、
前記ＣＥＤ信号検出手段が、発呼時に相手からの前記ＣＥＤ信号を検出した直後であって、前記極性反転検出手段が、前記ＣＥＤ信号検出時から予め定められた時間Ｔが経過した後に、前記公衆回線の極性が反転したかどうかについて極性反転の検出を行い、前記極性反転を検出した場合には、前記公衆回線を切断することを特徴としたファクシミリ通信装置。
【請求項２】
前記予め定められた時間Ｔを任意の値で入力設定することが可能なユーザインタフェースを具備することを特徴とした請求項１記載のファクシミリ通信装置。
【請求項３】
前記入力設定された時間Ｔを、発呼時又は待機時に書き換え入力することが可能なユーザインタフェースを具備することを特徴とした請求項２記載のファクシミリ通信装置。
【請求項４】
前記極性反転検出手段が前記極性反転を検出した直後に前記ＣＥＤ信号検出手段が前記ＣＥＤ信号を検出した場合は、前記公衆回線を保持し、前記極性反転検出手段が前記極性反転を検出した直後に前記ＣＥＤ信号検出手段が前記ＣＥＤ信号を検出できなかった場合には、前記公衆回線を切断することを特徴とした請求項１から３のいずれか１項に記載のファクシミリ通信装置。
【請求項５】
発呼時に、着信側から出力される被呼側識別信号（ＣＥＤ信号）を検出するＣＥＤ信号検出工程と、
前記ＣＥＤ信号を検出した直後であって、前記ＣＥＤ信号検出時から予め定められた時間Ｔが経過した後に、発信側の公衆回線の極性が反転したかどうかについて極性反転の検出を行う極性反転検出工程と、
前記極性反転検出工程において前記極性反転を検出した場合は、前記公衆回線を切断する工程とを具備することを特徴としたファクシミリ通信方法。
【請求項６】
ユーザーがユーザインタフェースを用いて、前記予め定められた時間Ｔを任意の値で入力設定する工程を具備することを特徴とした請求項５記載のファクシミリ通信方法。
【請求項７】
前記ユーザーが前記ユーザインタフェースを用いて、前記入力設定された時間Ｔを、発呼時又は待機時に書き換え入力する工程を具備することを特徴とした請求項６記載のファクシミリ通信方法。
【請求項８】
前記極性反転検出工程において前記極性反転を検出した直後に前記ＣＥＤ信号を検出した場合は、前記公衆回線を保持し、前記極性反転検出工程において前記極性反転を検出した直後に前記ＣＥＤ信号を検出できなかった場合は、前記公衆回線を切断する工程を具備することを特徴とした請求項５から７のいずれか１項に記載のファクシミリ通信方法。
【発明の詳細な説明】
【技術分野】
【０００１】
本発明は、公衆回線網に接続して使用するファクシミリ通信装置及びファクシミリ通信方法に関する。
【背景技術】
【０００２】
一般的な公衆回線では、まず、通信が可能な状態になった場合に、発信側の公衆回線の極性が反転され（第１の極性反転）、続いて、発信側では、着信側から出力される被呼側識別信号（ＣＥＤ信号）が検出される。その後、通信時に着信側からの回線が切断されると、発信側の回線の極性が反転（復極／第２の極性反転）されて、発信側に話中音が送信される。
【０００３】
よって、発信側のファクシミリ通信装置は、前記ＣＥＤ信号を検出した後に、公衆回線の極性反転を検出した場合には、上述の第２の極性反転であると判断し、回線を迅速に復旧させるために、発信側の公衆回線を切断していた。また、通常、発信側において、ＣＥＤ信号が検出される前に、発信側のファクシミリ装置において上述の第１の極性反転が検出されることはない。なお、前記極性反転に関する技術については、特許文献１に開示されている。
【特許文献１】特開２００１−８６３１１号公報
【発明の開示】
【発明が解決しようとする課題】
【０００４】
しかし、発信側のファクシミリ通信装置において、ネットワーク上の問題により、前記ＣＥＤ信号の検出された後に、上述の第１の極性反転が検出される場合がある。この場合においても、従来のファクシミリ通信装置では、前記検出された第１の極性反転を第２の極性反転と誤認するため、正常な通信が行われており公衆回線を切断する必要のない場合であっても、公衆回線が切断されてしまうという問題があった。
【０００５】
本発明は、上記のような問題点に鑑み、発信側のファクシミリ通信装置が、ＣＥＤ信号の検出後に上述した第１の極性反転を検出することがないように、発信側のファクシミリ通信装置において、ＣＥＤ信号の検出時から予め定めた時間が経過した後に極性反転の検出を開始する手段を設けることにより、正常な通信中に公衆回線が切断されることのないファクシミリ通信装置及びファクシミリ通信方法を提供することを目的とする。
【０００６】
また、上述したネットワーク上の問題による第１の極性反転の検出される時間の遅れに対応することができるように、ユーザーがユーザインタフェースを用いて、前記予め定めた時間として、任意の値を入力設定することを可能としたファクシミリ通信装置及びファクシミリ通信方法を提供することを目的とする。
【０００７】
また、上述したネットワーク上の問題による第１の極性反転の検出される時間の遅れが大きく、前記ＣＥＤ信号の検出時から前記ユーザインタフェースから入力設定された時間の経過した後に極性反転の検出をするようにしてもなお、前記第１の極性反転の検出がＣＥＤ信号の検出後にされて、上述した問題と同様の問題が発生することが懸念される。
【０００８】
そこで、更に、第１の極性反転を検出した後においても継続して前記ＣＥＤ信号の検出を行い、ＣＥＤ信号が検出された場合には公衆回線を保持し、ＣＥＤ信号が検出されない場合には公衆回線を切断する手段を設けて、第１の極性反転を検出した後も相手からの信号を受信できる場合は通信を継続するようにしたファクシミリ通信装置及びファクシミリ通信方法を提供することを目的とする。なお、公衆回線が通信可能な状態となっているときは、公衆回線の回路構成上、ＣＥＤ信号を検出することができ、また、公衆回線が通信不可の状態となっているときは、ＣＥＤ信号を検出することができない。
【課題を解決するための手段】
【０００９】
請求項１に記載の発明は、発信側の公衆回線の極性の反転を検出する極性反転検出手段と、着信側から出力される被呼側識別信号（ＣＥＤ信号）を検出するＣＥＤ信号検出手段とを具備し、前記ＣＥＤ信号検出手段が、発呼時に相手からの前記ＣＥＤ信号を検出した直後であって、前記極性反転検出手段が、前記ＣＥＤ信号検出時から予め定められた時間Ｔが経過した後に、前記公衆回線の極性が反転したかどうかについて極性反転の検出を行い、前記極性反転を検出した場合には、前記公衆回線を切断するファクシミリ通信装置としたことを特徴とする。
【００１０】
請求項２記載の発明は、前記予め定められた時間Ｔを任意の値で入力設定することが可能なユーザインタフェースを具備する請求項１記載のファクシミリ通信装置としたことを特徴とする。
【００１１】
請求項３記載の発明は、前記入力設定された時間Ｔを、発呼時又は待機時に書き換え入力することが可能なユーザインタフェースを具備する請求項２記載のファクシミリ通信装置としたことを特徴とする。
【００１２】
請求項４記載の発明は、前記極性反転検出手段が前記極性反転を検出した直後に前記ＣＥＤ信号検出手段が前記ＣＥＤ信号を検出した場合は、前記公衆回線を保持し、又は、前記極性反転検出手段が前記極性反転を検出した直後に前記ＣＥＤ信号検出手段が前記ＣＥＤ信号を検出できなかった場合には、前記公衆回線を切断する請求項１から３のいずれか１項に記載のファクシミリ通信装置としたことを特徴とする。
【００１３】
請求項５記載の発明は、発呼時に、着信側から出力される被呼側識別信号（ＣＥＤ信号）を検出するＣＥＤ信号検出工程と、前記ＣＥＤ信号を検出した直後であって、前記ＣＥＤ信号検出時から予め定められた時間Ｔが経過した後に、発信側の公衆回線の極性が反転したかどうかについて極性反転の検出を行う極性反転検出工程と、前記極性反転検出工程において前記極性反転を検出した場合は、前記公衆回線を切断する工程とを具備するファクシミリ通信方法としたことを特徴とする。
【００１４】
請求項６記載の発明は、ユーザーがユーザインタフェースを用いて、前記予め定められた時間Ｔを任意の値で入力設定する工程を具備する請求項５記載のファクシミリ通信方法としたことを特徴とする。
【００１５】
請求項７記載の発明は、前記ユーザーが前記ユーザインタフェースを用いて、前記入力設定された時間Ｔを、発呼時又は待機時に書き換え入力する工程を具備する請求項６記載のファクシミリ通信方法としたことを特徴とする。
【００１６】
請求項８記載の発明は、前記極性反転検出工程において前記極性反転を検出した直後に前記ＣＥＤ信号を検出した場合は、前記公衆回線を保持し、又は、前記極性反転検出工程において前記極性反転を検出した直後に前記ＣＥＤ信号を検出できなかった場合は、前記公衆回線を切断する工程を具備する請求項５から７のいずれか１項に記載のファクシミリ通信方法としたことを特徴とする。
【発明の効果】
【００１７】
本発明によれば、発信側のファクシミリ通信装置は、ＣＥＤ信号検出時から一定時間遅れて極性反転の検出を開始する。よって、ネットワーク上の問題から前記第１の極性反転が、前記第１の極性反転がされた時から時間的に遅れて、ＣＥＤ信号検出後に検出された場合に、発信側のファクシミリ通信装置が、これを上述の第２の極性反転として誤って判断することを防止することができる。その結果、公衆回線を誤って切断することなく通信することができる。また、極性反転待ちの時間をユーザが自由に調節設定できるので、様々な使用環境に対応することができる。また、発信側のファクシミリ通信装置に、上述した極性反転の検出後もＣＥＤ信号の検出を行い、ＣＥＤ信号を検出した場合には公衆回線を切断しない手段を設けることにより、仮に発信側のファクシミリ通信装置が前記第１の極性反転を上述の第２の極性反転として誤って判断した場合であっても、公衆回線を誤って切断することなく通信することができる。
【発明を実施するための最良の形態】
【００１８】
本発明に係るファクシミリ通信装置の一の実施形態は、発信側の公衆回線の極性の反転を検出する極性反転検出手段と、着信側から出力されるＣＥＤ信号を検出するＣＥＤ信号検出手段とを設け、前記ＣＥＤ信号検出手段が、発呼時に相手からの前記ＣＥＤ信号を検出した直後であって、前記極性反転検出手段が、前記ＣＥＤ信号検出時から予め定められた時間Ｔが経過した後に、前記公衆回線の極性が反転したかどうかについて極性反転の検出を行い、前記極性反転を検出した場合には、前記公衆回線を切断するファクシミリ通信装置としたことを特徴とする。本実施形態によれば、ネットワーク上の問題から前記第１の極性反転が、前記第１の極性反転がされた時から時間的に遅れて、ＣＥＤ信号検出後に検出された場合に、発信側のファクシミリ通信装置が、これを上述の第２の極性反転として誤って判断することを防止することができる。その結果、公衆回線を誤って切断することなく通信することができる。
【実施例１】
【００１９】
本発明を適用した実施例を、添付図面に基いて以下に説明する。まず、図１を用いて、本実施例のファクシミリ通信装置の要部構成と各部の機能について説明する。図１は、本実施例のファクシミリ通信装置における要部構成の機能ブロック図である。図１に示すように、本実施例のファクシミリ通信装置は、ＣＰＵ１、ＲＯＭ２、ＲＡＭ３、スキャナ４、プロッタ５、操作表示部６、網制御部７、プロトコル制御部８、モデム９、極性反転手段１０、ＣＥＤ信号検出手段１１、システムバス１２とを備えている。
【００２０】
図１に示すＣＰＵ１は、本実施例のファクシミリ装置において、各部の制御処理及びファクシミリ伝送制御手順を行う。ＲＯＭ２は、プログラムやフォントその他のデータを記憶する。ＲＡＭ３は、ＣＰＵ１がプログラムを実行するときにワークエリアとして使用され、必要なデータ等を記憶し、更には、システム的に必要なパラメータやユーザ登録データ等を格納する記憶手段である。電話番号毎の発呼属性などが記憶される。
【００２１】
スキャナ４は、所定の解像度で原稿を読み取る画像読み取り手段である。プロッタ５は、所定の解像度で画像またはレポート類を記録出力するプリンタ等の出力手段である。操作表示部６は、通信操作及び登録操作などを行う機能を有し、各種キーや表示器から構成されている。網制御部７は、公衆電話回線網に接続するための制御手段で、自動発着信機能も有している。
【００２２】
プロトコル制御部８は、プロトコルを制御する。モデム９はファクシミリのモデム機能を実現する。極性反転検出手段１０は、ファクシミリ通信装置と接続される公衆回線の極性の状態を検出する。前記モデム９が有するＣＥＤ信号検出手段１１は、相手側から出力される被呼側識別信号を検出する。これらはシステムバス１０で接続されている。
【００２３】
次に、本実施例のファクシミリ通信装置の動作について図１、２を用いて説明する。図２は、本実施例のファクシミリ通信装置における送信時の処理を示すフローチャートである。図２に示すように、まず、本実施例のファクシミリ通信装置において、ユーザが発呼して通信を開始（処理２０１）すると、図１に示すＣＰＵ１は、ＣＥＤ検出手段１１が、ＣＥＤ信号の検出を開始するよう制御をする（処理２０２）。そして、ＣＰＵ１は、ＣＥＤ検出手段１１が有するＣＥＤ信号の検出待ちタイマーＴ１をスタートさせる制御をする（処理２０３）。
【００２４】
次に、ＣＰＵ１は、タイマーＴ１がタイムオーバーしたか否か判断し（判断２０４）Ｙｅｓならば、公衆回線の切断処理を行い（処理２０６）、Ｎｏならば、ＣＥＤ信号を検出した否かを判断する（判断２０５）。そして、ＣＰＵ１は、ＣＥＤ信号の検出結果が、Ｎｏならば、処理２０４に戻るよう制御をし、Ｙｅｓならば、極性反転検出手段１０が有する極性反転開始待ちタイマーＴをスタートさせるよう制御する（処理２０７）。続いて、ＣＰＵ１は、タイマーＴがタイムオーバーしたか否か判断し（判断２０８）、Ｎｏの場合は処理２０８でループするよう制御をし、Ｙｅｓの場合は極性反転の検出を開始する（処理２０９）よう制御を行なう。
【００２５】
続いて、ＣＰＵ１は、極性反転を検出したか否かを判断し（判断２１０）、Ｎｏの場合は通信を継続し（処理２１１）、処理２１０へ周期的に遷移する。また、判断２１０でＹｅｓの場合は公衆回線の切断処理を行う（処理２１２）。
【００２６】
本実施例によれば、発信側のファクシミリ通信装置は、ＣＥＤ信号検出時から一定時間遅れて極性反転の検出を開始する。よって、ネットワーク上の問題から前記第１の極性反転が、前記第１の極性反転がされた時から時間的に遅れて、ＣＥＤ信号検出後に検出された場合に、発信側のファクシミリ通信装置が、これを上述の第２の極性反転として誤って判断することを防止することができる。その結果、公衆回線を誤って切断することなく通信することができる。
【実施例２】
【００２７】
本実施例は、第１の実施例の応用例である。本実施例は、第１の実施例で説明したファクシミリ通信装置において、前記時間Ｔを任意の値で入力設定することが可能なユーザインタフェース（図示していない）を設けたことを特徴とする。図３は、本実施例のファクシミリ通信装置におけるタイマーＴの入力手続きについて示したものである。タイマーＴ入力（処理３０１）では、まずタイマーＴ入力画面を促す画面を操作表示部に行う（処理３０２）。そして入力された値をタイマーＴとして保存する（処理３０３）。
【００２８】
本実施例によれば、前記ＣＥＤ検出時から前記極性反転の検出を開始するまでの時間Ｔをユーザが自由に調節設定できるので、使用装置の様々な使用環境によってネットワーク上の問題からくる極性反転の検出時間の遅れが異なる場合であっても、柔軟に対応することが可能となる。
【実施例３】
【００２９】
本実施例は、第１の実施例の応用例である。上述の第１の実施例で説明したファクシミリ通信装置において、上述したネットワーク上の問題による第１の極性反転の検出される時間の遅れが大きい場合に、第１の実施例を適用してもなお、前記第１の極性反転の検出がＣＥＤ信号の検出後にされて、上述した問題と同様の問題（ファクシミリ通信装置が公衆回線を誤って切断する）が発生することが懸念される。本実施例は、このようなケースに対して、その解決を図ったものである。
【００３０】
本実施例では、第１の極性反転を検出した後において、継続して前記ＣＥＤ信号の検出を行い、ＣＥＤ信号が検出された場合には公衆回線を保持し、ＣＥＤ信号が検出されない場合には公衆回線を切断する手段を設けることを特徴とする。前記手段は、公衆回線が通信可能な状態となっているときは、公衆回線の回路構成上、ＣＥＤ信号を検出することができ、また、公衆回線が通信不可の状態となっているときは、ＣＥＤ信号を検出することができないという事実を考慮して設けられたものである。
【００３１】
よって、本実施例では、第１の実施例を適用してもなお、第１の極性反転の検出の時間遅れが大きく、装置が第１の極性反転の検出を上述の第２の極性反転と誤認した場合であっても、前記手段により第１の極性反転を検出した後に継続して前記ＣＥＤ信号の検出を行い、前記ＣＥＤ信号が検出された場合には、公衆回線が通信状態にあると判断し、公衆回線の接続を保持し、前記ＣＥＤ信号が検出されない場合には、公衆回線が通信状態にないと判断し、公衆回線を切断するように制御を行なう。
【００３２】
その結果、本実施例によれば、前記第１の極性反転の検出直後の公衆回線の状態を判断し、相手からの信号を受信できる場合は通信を継続するようにし、公衆回線が誤って切断されるのを防ぐことが可能となる。
【００３３】
次に、本実施例のファクシミリ通信装置の動作について図１、４を用いて説明する。図４は、本実施例のファクシミリ通信装置における送信時の処理を示すフローチャートである。まず、本実施例のファクシミリ通信装置において、ユーザが発呼して通信を開始（処理４０１）すると、図１に示すＣＰＵ１は、図１に示すモデム９が有するＣＥＤ信号検出手段１１がＣＥＤ信号の検出を開始するよう制御し、そして、前記ＣＥＤ検出手段１１が有するＣＥＤ信号検出待ちタイマーＴ１をスタートさせるよう制御を行なう（処理４０２）。
【００３４】
続いて、ＣＰＵ１は、タイマーＴ１がタイムオーバーしたか否かを判断し（判断４０３）、Ｙｅｓならば切断処理を行い（処理４０５）、ＮｏならばＣＥＤ信号を検出したか否かを判断し（判断４０４）、その結果がＮｏならば処理４０３へ遷移するよう制御する。また、その結果がＹｅｓならば、ＣＰＵ１は、極性反転の検出を開始する（処理４０６）よう制御をする。
【００３５】
続いて、ＣＰＵ１は、図１に示す極性反転検出手段１０が、極性反転を検出したか否かを判断し（判断４０７）、Ｎｏならば通信を継続し（処理４０８）、処理４０７に周期的に遷移するよう制御を行なう。また、ＣＰＵ１は、処理４０７において、その結果がＹｅｓの場合は、タイマーＴ１がタイムオーバーしたか否かを判断し（判断４０９）、その結果がＹｅｓならば公衆回線の切断処理を行う（処理４１１）よう制御する。また、その結果がＮｏならば、ＣＥＤ信号を検出したか否かを判断する（判断４１０）。続いて、ＣＰＵ１は、前記ＣＥＤ検出有無の判断結果がＮｏならば処理４０９に遷移する。また、Ｙｅｓならば処理４０８に遷移する。
【００３６】
なお、上述した本発明を適用した第１から第３の実施例全ては、ファクシミリ通信装置が公衆回線に接続された場合を想定したものであるが、ＰＢＸなど他の交換機に接続された場合においても同様に本発明を適用することが可能である。また、ファクシミリ通信ではＶ．８で通信する場合、ＣＥＤ信号の代りにＡＮＳａｍが使用されるが、この場合も同様に本発明を適用することが可能である。更に、ＣＥＤ信号の代りに、ＣＥＤ信号又はＡＮＳａｍより後に使用される信号を用いても同様に本発明を適用することが可能である。
【図面の簡単な説明】
【００３７】
【図１】第１の実施例におけるファクシミリ通信装置の要部構成を示す構成ブロック図である。
【図２】第１の実施例におけるファクシミリ通信装置の送信時の処理を示すフローチャートである。
【図３】第２の実施例におけるファクシミリ通信装置の有するタイマーの入力手続の処理を示すフローチャートである。
【図４】第３の実施例におけるファクシミリ通信装置の送信時の処理を示すフローチャートである。
【符号の説明】
【００３８】
１    ＣＰＵ
２    ＲＯＭ
３    ＲＡＭ
４    スキャナ
５    プロッタ
６    操作部制御部
７    網制御部
８    プロトコル制御部
９    モデム
１０    極性反転検出手段
１１    ＣＥＤ信号検出手段
１２    システムバス
【図１】
2005150995.tif 000003
【図２】
2005150995.tif 000004
【図３】
2005150995.tif 000005
【図４】
2005150995.tif 000006